(57)【要約】【課題】  人員を分散して配置する場合に、各自に拘束感を与えることがなく、各自の判断で移動できるシステムを提供する。【解決手段】  サービスの対象となる地域を複数のセルＣL1〜ＣL5に分割し、そのセルＣL1〜ＣL5ごとに配置した基地局ＢS1〜ＢS5により端末機Ｔ11〜Ｔ33を管理する。端末機Ｔ11〜Ｔ33をグループ分けし、そのグループごとの識別コードを端末機Ｔ11〜Ｔ33に付与する。基地局ＢS1〜ＢS5は、セルＣL1〜ＣL5にいる端末機Ｔ11〜Ｔ33の数を、グループ識別コードにより識別してグループごとにカウントする。このカウント結果が設定値ｋ以上（ｋは２以上の整数）となったとき、この設定値ｋ以上のカウント結果を与えたグループに属する端末機Ｔ11〜Ｔ33に、警告メッセージを送信する。【選択図】  図１
2007133619.tif 000002
【特許請求の範囲】
【請求項１】
サービスの対象となる地域に複数の端末機を配置するにあたり、
上記サービスの対象となる地域を複数のセルに分割し、
このセルごとに基地局を配置し、
この基地局により、その基地局が配置されているセルにいる端末機を管理するとともに、
上記複数の端末機を複数のグループにグループ分けし、
上記グループごとに異なるとともに、上記グループの中では同じ識別コードを、上記グループに属する上記端末機に付与し、
上記基地局は、その基地局が配置されているセルにいる端末機の数を、上記グループ識別コードにより識別して上記グループごとにカウントし、
このカウント結果があらかじめ設定した値ｋ以上（ｋは２以上の整数）となったとき、この設定値ｋ以上のカウント結果を与えたグループに属する端末機に、所定の警告メッセージを送信する
ようにした端末機の管理方法。
【請求項２】
請求項１に記載の端末機の管理方法において、
上記警告メッセージが、少なくとも同じセルの中に、同じグループに属する端末機の携帯者が存在することを示す内容のメッセージである
ようにした端末機の管理方法。
【請求項３】
請求項１に記載の端末機の管理方法において、
上記警告メッセージが、少なくとも同じセルの中に、同じグループに属する端末機の携帯者がｋ人であることを示す内容のメッセージである
ようにした端末機の管理方法。
【請求項４】
請求項１に記載の端末機の管理方法において、
上記カウント結果が上記設定値ｋ未満のとき、この設定値ｋ未満のカウント結果を与えているグループに属する端末機に、所定のメッセージを送信する
ようにした端末機の管理方法。
【請求項５】
請求項１に記載の端末機の管理方法において、
上記セルのうちの隣接するセルの間で、同じグループに属する端末機の数を互いに通知して同じグループに属する端末機の数を合計し、
この合計結果が所定の設定値以上となったとき、この設定値以上の合計結果を与えたグループに属する端末機に、所定のメッセージを送信する
ようにした端末機の管理方法。
【請求項６】
請求項１に記載の端末機の管理方法において、
上記セルのうちの隣接するセルの間で、同じグループに属する端末機の数を互いに通知し、
上記同じグループに属する端末機が、あるセルには複数いるが、隣接するセルには１台もいないとき、その複数いる端末機に、上記１台もいないセルの方向を通知する
ようにした端末機の管理方法。
【発明の詳細な説明】
【技術分野】
【０００１】
この発明は、端末機の管理方法に関する。
【背景技術】
【０００２】
例えば、パトカーは、事件や事故の処理のため現場に集まる場合は別として、通常のパトロール時には、同じ場所に何台も集中するよりも、分散しているほうが警備上好ましい。また、タクシーについても、適度に分散しているほうが効率的である。さらに、燃料や爆発物などの危険物をトラックなどにより運搬するとき、そのトラックが一箇所に集中して走行するよりも、分散して走行したほうが危険を低減できる。
【０００３】
このように、一定の地域を自分の意思で移動するが、同じ場所に複数が集中することは避けることが好ましい人的資源が存在する。このような場合、一般には、なんらかの指令センターを設け、この指令センターが各自の場所を把握・管理し、それぞれが適切な場所に移動するように指示をしている。
【０００４】
なお、先行技術文献として例えば以下のものがある。
【特許文献１】特開２００４−７８３１３号公報
【発明の開示】
【発明が解決しようとする課題】
【０００５】
ところが、指令センターが各自の場所を管理する場合には、それぞれが自分の意思で移動しているという感覚を持つことができす、誰かに拘束されていると感じてしまうことがある。
【０００６】
この発明は、このような点にかんがみ、人員を分散して配置する場合に、各自に拘束感を与えることがなく、各自の判断で移動できるシステムを提供しようとするものである。
【課題を解決するための手段】
【０００７】
この発明においては、
サービスの対象となる地域に複数の端末機を配置するにあたり、
上記サービスの対象となる地域を複数のセルに分割し、
このセルごとに基地局を配置し、
この基地局により、その基地局が配置されているセルにいる端末機を管理するとともに、
上記複数の端末機を複数のグループにグループ分けし、
上記グループごとに異なるとともに、上記グループの中では同じ識別コードを、上記グループに属する上記端末機に付与し、
上記基地局は、その基地局が配置されているセルにいる端末機の数を、上記グループ識別コードにより識別して上記グループごとにカウントし、
このカウント結果があらかじめ設定した値ｋ以上（ｋは２以上の整数）となったとき、この設定値ｋ以上のカウント結果を与えたグループに属する端末機に、所定の警告メッセージを送信する
ようにした端末機の管理方法
とするものである。
【発明の効果】
【０００８】
この発明によれば、自分の意思であちらこちらに移動するが、同じ場所に何人もいることは避けたい人員を、適度に分散して配置することができる。そして、その場合、自分と同じグループに属する人員が近くにいることはわかるが、それがグループ内の誰であるかは通知されず、プライバシーに配慮した通知を行うことができる。また、同じグループの人員に対して対等に作用し、不公平な状況を生じることがない。
【発明を実施するための最良の形態】
【０００９】
図１は、この発明を警備システムに適用した場合の一例を示す。そして、図１においては、サービスの対象となる地域が複数のセル（小領域）、今の場合、警備の対象となる地域が５つのセルＣL1〜ＣL5に分割されている場合である。これらセルＣL1〜ＣL5には基地局ＢS1〜ＢS5がそれぞれ配置されている。
【００１０】
また、複数の携帯型の端末機Ｔ11〜Ｔmn（〔Ｔ11、Ｔ12、・・・〕、〔Ｔ21、Ｔ22、・・・〕、・・・、〔Ｔm1、Ｔm2、・・・、Ｔmn〕）が用意される。この端末機Ｔ11〜Ｔmnは、基地局ＢS1〜ＢS5との間で、各種のデータを電波により送受信する機能を有する。また、これら端末機Ｔ11〜Ｔmnは、対象となる地域を警備する警備員がそれぞれ携帯するものである。
【００１１】
図１においては、セルＣL1に２人の警備員がいて、それぞれが端末機Ｔ11、Ｔ31を携帯し、セルＣL2には１人の警備員がいて、端末機Ｔ22を携帯し、・・・、セルＣL5には１人の警備員がいて、端末機Ｔ32を携帯している場合である。
【００１２】
そして、基地局ＢS1〜ＢS5は、端末機Ｔ11〜Ｔmnがどのセルにいるかを、ＰＨＳや携帯電話システムなどと同様の方法により常に把握・管理している。すなわち、端末機Ｔ11〜Ｔmnは、自分のいるセルの基地局から送信されてくるデータを受信し、この受信したデータにより、自分がセルＣL1〜ＣL5のうちのどのセルにいるかを把握している。そして、端末機Ｔ11〜Ｔmnは、自分のいるセルの情報を定期的に基地局に通知している。さらに、警備員が移動したことにより、端末機があるセルから他のセルに移動したとき、この移動が、その端末機から移動先の基地局に通知される。したがって、基地局は、端末機がどのセルにいるか、自分の管理するセルにどの端末機がいるかを常に把握していることになる。
【００１３】
そして、特にこの発明においては、端末機Ｔ11〜Ｔmnは、複数のグループにグループ分けされ、そのグループごとにグループ識別コードＧIDが与えられる。例えば、図２に示すように、端末機Ｔ11、Ｔ12、・・・はＧID＝「１」とされ、端末機Ｔ21、Ｔ22、・・・はＧID＝「２」とされ、端末機Ｔ31、Ｔ32、・・・はＧID＝「３」とされ、・・・、端末機Ｔm1〜ＴmnはＧID＝「ｍ」とされる。
【００１４】
この場合、グループ識別コードＧIDは、重複しないように端末機に割り当てられる。また、１つのグループに属する端末機の数は任意である。さらに、グループ識別コードＧIDと、セルＣL1〜ＣL5（基地局ＢS1〜ＢS5）とは、特定の関係を採る必要はない。
【００１５】
また、基地局ＢS1〜ＢS5には、例えば図３Ａに示すような端末機管理テーブルTBL1〜TBL5がそれぞれ用意される。この端末機管理テーブルTBL1〜TBL5は、自分（その端末機管理テーブルが用意されている基地局）が担当しているセルにいる端末機の数を、グループ識別コードＧIDごとに示すものである。すなわち、図３Ａの場合であれば、このテーブルTBL1は、セルＣL1を管理している基地局ＢS1に用意されているものであり、セルＣL1には、ＧID＝「１」の端末機が１台、ＧID＝「２」の端末機が０台、ＧID＝「３」の端末機が１台、・・・、ＧID＝「ｍ」の端末機が０台いることを示している。
【００１６】
以上のシステムにおいて、警備員の分散は次のように行われる。すなわち、今、端末機Ｔ11〜Ｔmnが図１〜図３Ａの状態であるとする。すると、この状態では、何も実行されない。
【００１７】
しかし、例えば、セルＣL3で端末機Ｔ12を携帯している警備員が、セルＣL3からセルＣL1に移動したとする。すると、このとき、端末機Ｔ12もセルＣL1に移動するが、この移動が端末機Ｔ12から移動先のセルＣL1の基地局ＢS1に通知される。したがって、端末機Ｔ12の移動は基地局ＢS1で認識され、図３Ｂに示すように、端末機管理テーブルTBL1においては、ＧID＝「１」の端末機の数が、１台から２台に更新される。なお、このとき、端末機Ｔ12がセルＣL1に移動したことが、基地局ＢS1から基地局ＢS3に通知され、図３Ｃに示すように、基地局ＢS3の端末機管理テーブルTBL3においては、ＧID＝「１」の端末機の数が、１台から０台に更新される。
【００１８】
そして、セルＣL1において、ＧID＝「１」の端末機が２台いることになると、そのＧID＝「１」に属する２台の端末機、今の場合は、端末機Ｔ11、Ｔ12に対して、基地局ＢS1から「近くに同じグループの警備員がいます」の警告メッセージが送信される。つまり、端末機が移動することにより、その移動先のセルで、同じグループに属する端末機が２台以上になった場合には、その端末機に「近くに同じグループの警備員がいます」の警告メッセージが送信される。
【００１９】
したがって、端末機Ｔ11、Ｔ12は「近くに同じグループの警備員がいます」の警告メッセージが受信することになるが、端末機Ｔ11、Ｔ12を携帯している警備員は、受信した警告メッセージにしたがって、各自の判断で警備するセルを変更ないしそのままとする。
【００２０】
例えば、端末機Ｔ11を携帯している警備員は、自分が移動しないのに「近くに同じグループの警備員がいます」の警告メッセージを受信したのであるから、引き続きセルＣL1での警備を続行する。しかし、端末機Ｔ12を携帯している警備員は、自分が移動したことにより「近くに同じグループの警備員がいます」の警告メッセージを受信したのであるから、元のセルＣL3に戻るか、隣りのセルＣL2あるいはＣＬ4に移動する。
【００２１】
そして、端末機Ｔ12を携帯している警備員が元のセルＣL3に戻ったとき、およびセルＣL2に移動したときには、その移動先のセルには同じグループに属する端末機がいないので、「近くに同じグループの警備員がいます」の警告メッセージは送信されず、したがって、端末機Ｔ12を携帯している警備員はその移動先のセルＣL3あるいはＣL2に留まって警備をすることができる。
【００２２】
しかし、端末機Ｔ12を携帯している警備員がセルＣL4に移動したときには、すでに同じグループに属する端末機Ｔ13がいるので、セルＣL4における端末機管理テーブルTBL4においては、ＧID＝「１」の端末数が「２」になる。この結果、基地局ＢS4から「近くに同じグループの警備員がいます」の警告メッセージが送信され、これが端末機Ｔ12、Ｔ13で受信される。したがって、最初の場合と同様、端末機Ｔ12を携帯している警備員は、さらにセルＣL2、ＣL3あるいはＣL5に移動することになる。
【００２３】
こうして、このシステムによれば、１つのセルに同じグループに属する端末機が２台以上いるときには、基地局は、そのグループに属する端末機に「近くに同じグループのメンバーがいます」の警告メッセージを送信する。したがって、自分の意思であちらこちらに移動するが、同じ場所に何人もいることは避けたい人員を、適度に分散して配置することができる。そして、その場合、自分と同じグループに属する人員が近くにいることはわかるが、それがグループ内の誰であるかはわからないようにすることができる。
【００２４】
また、自分と同じグループに属する人員が近く（同じセルあるいは隣接するセル）にいる場合だけ通知され、他のセルにいる場合はどこにいるのかまったく知られない。さらに、同じグループの人員に対して対等に作用し、Ａさんには通知するが、Ｂさんには通知しないなどの不公平な状況を生じることがない。また、これらのことから、お互いのプライバシと公平性を尊重したものになっている。
【００２５】
さらに、指令センターが各自の場所を管理する場合には、それぞれが自分の意思で移動しているという感覚を持つことができす、誰かに拘束されていると感じてしまうことがあるが、上述のシステムによれば、同じグループの人員が単に近くに集まった場合に、そのことを通知するだけであり、その後の行動は各自の任されているので、誰かに拘束されていると感じることがなく、自分の意思で移動しているという感覚を持つことができる。
【００２６】
また、処理が基地局ごとに分散して行われるので、処理の負担や全体の通信負荷を低くすることができる。しかも、各基地局の処理は、主としてグループ識別コードＧIDごとに端末機の数をカウントするだけなので、処理が容易である。さらに、次に述べるように、携帯電話機などに一体化することができ、その場合には、コストの増加がほとんどない。
【００２７】
さらに、１つのセルに存在するすべての端末機の間で１対１のマッチングなどといった処理の場合には、端末機の数の二乗で処理量が増加するが、上述のシステムにおいては、端末機の数が増加しても処理量は単純に比例して増加するだけであり、負荷が低い。
【００２８】
また、上述のように警備員などを適切に配置する場合だけでなく、危険物を積載した車両が一箇所に集中した場合に、警告メッセージを発して互いに遠ざけたり、何らかの理由で会わせたくない人同士が同じ場所にきた場合に、警告メッセージを発することにより、両者が会ってしまうことを避けるなど、何らかの移動体を互いに出会わないようにする目的にも使用することができる。
【００２９】
図４は端末機の一例を示し、この例においては、携帯電話機１０に一体化している場合である。すなわち、この携帯電話機１０は、受信回路１１、送信回路１２、コーデック回路を構成するＤＳＰ１３などを有する。そして、基地局からの下りの送信波が送受信アンテナ１４により受信され、その受信信号が、デュプレクサ１５を通じて受信回路１１に供給されて所定のデジタル信号が復調されて取り出される。続いて、このデジタル信号がＤＳＰ１３に供給されて相手の音声信号が取り出され、この音声信号が受話器１６に供給される。なお、ＤＳＰ１３には、着呼や警告メッセージの受信を通知するためのリンガ１７も接続されている。
【００３０】
さらに、送話器１８からの音声信号がＤＳＰ１３に供給されて所定のデジタル信号とされ、このデジタル信号が送信回路１２に供給されて上りの送信信号とされ、この送信信号がデュプレクサ１５を通じて送受信アンテナ１４に供給されて基地局へと送信される。
【００３１】
また、この携帯電話機１０は、システム制御部を構成するマイクロコンピュータ２１が設けられ、このマイクロコンピュータ２１には、ダイヤルキーなどの操作キー２２と、ＬＣＤ２３と、メモリ２４とが接続される。この場合、発呼時や着呼時などには、それらに対応した制御信号が基地局との間でアクセスされるが、このため、基地局から送信されてきた制御信号がＤＳＰ１３から取り出されてマイクロコンピュータ２１に供給され、基地局に送信する制御信号がマイクロコンピュータ２１からＤＳＰ１３に供給されて基地局へと送信される。
【００３２】
さらに、ＬＣＤ２３は、発呼時や着呼時などに携帯電話機としての表示を行うとともに、上記の「近くに同じグループの警備員がいます」などの警告メッセージを表示するためのものである。また、メモリ２４は、相手の電話番号（電話帳）やグループ識別コードＧIDなどのデータを記憶しておくためのものであり、不揮発性メモリとされている。
【００３３】
このような構成において、携帯電話機１０は、基地局からの送信波を定期的に受信して自分のいるセルを把握している。また、この把握したセルが前回把握したときのセルとは異なるときには、その新しく把握したセルを示す情報および自分のグループ識別コードＧIDを基地局に通知する。したがって、基地局も自分が管理するセルにいる携帯電話機と、グループごとの携帯電話機の数とを把握している。
【００３４】
そして、携帯電話機１０が他のセルに移動すると、携帯電話機１０は、その移動先のセル（自分のいるセル）を新たに把握するとともに、その把握したセルを示す情報および自分のグループ識別コードＧIDを基地局に通知している。この結果、携帯電話機１０が移動したときも、移動先のセルの基地局は、自分が管理するセルにいる携帯電話機およびグループ識別コードＧIDごとの携帯電話機の数を把握している。
【００３５】
そして、携帯電話機１０が移動したことにより、その移動先において、同じグループに属する携帯電話機が２台になったときには、そのセルを管理する基地局において「近くに同じグループのメンバーがいます」の警告メッセージが作成され、この警告メッセージが該当する携帯電話機に送信される。したがって、上記のように、該当する携帯電話機において、その警告メッセージが受信され、これがＬＣＤ２３に表示される。したがって、上述のように携帯電話機１０を携帯している人員の分散が行われる。
【００３６】
なお、上述においては、１つのセルに同じグループ識別コードＧIDの端末機が２台以上いるとき、基地局は、そのグループに属する端末機に「近くに同じグループのメンバーがいます」の警告メッセージを送信するようにしているが、１つのセルに同じグループに属する端末機がｋ台以上（ｋは２以上の整数）いるとき、基地局は、そのグループに属する端末機に「近くに同じグループのメンバーがｋ台います」の警告メッセージを送信することもできる。
【００３７】
また、１つのセルに同じグループに属する端末機は例えば２台以上いることは、結果としてできないが、異なるグループに属する端末機であれば、２台以上が１つのセルにいることができる。したがって、１つのセルに複数の人員が必要な場合、あるいは複数の人員を許容する場合には、端末機をそのようにグループ分けしてグループ識別コードＧIDを割り当てればよい。あるいは、値ｋをセルにより異ならせればよい。そのようにすれば、例えば警備の場合、特定のセルに多くの警備員を配置することができ、そのセルを重点的に警備をすることができる。
【００３８】
さらに、１つのセルにいる同じグループに属する端末機の数がｋ台未満ときには、そのｋ台未満のグループに属する端末機に、なんらかのメッセージを送信することもできる。
【００３９】
また、隣接するセルの間で、同じグループに属する端末機の数を互いに通知して同じグループに属する端末機の数を合計し、この合計値が所定の設定値以上となったとき、そのグループに属する端末機に、警告などのメッセージを送信することもできる。さらに、隣接するセルの間で、同じグループに属する端末機の数を互いに通知し、同じグループに属する端末機が、あるセルには複数いるが、隣接するセルには１台もいないとき、その複数いる端末機に、１台もいないセルの方向を通知することもできる。
【００４０】
さらに、ＬＣＤ２３に警告メッセージを表示する代わりに、あるいは表示するとともに、ＬＥＤなどによる発光、サウンダによる音、あるいはバイブレータによる振動により警告のあったことを通知することもできる。
【００４１】
〔略語の一覧〕
ＤＳＰ：Digital Signal Processor
ＬＣＤ：Liquid Crystal Display
ＬＥＤ：Light Emitting Diode
ＰＨＳ：Personal Handyphone System
【図面の簡単な説明】
【００４２】
【図１】この発明を説明するための図である。
【図２】この発明を説明するための図である。
【図３】この発明を説明するための図である。
【図４】この発明の一形態を示す系統図である。
【符号の説明】
【００４３】
ＢS1〜ＢS5…基地局、ＣL1〜ＣL5…セル、ＧID…グループ識別コード、Ｔ11〜Ｔmn…端末機、TBL1〜TBL5…端末機管理テーブル
【図１】
2007133619.tif 000003
【図２】
2007133619.tif 000004
【図３】
2007133619.tif 000005
【図４】
2007133619.tif 000006